(57)【要約】記録されたビデオ・シーケンス記録において異なるビュー・アングルで提供するDVDディスクがある。しかしながら、エンコードされたビデオ・シーケンスのデコードを開始するにはいくらかの時間がかかり、異なるアングルのビューはそれぞれ対応する異なるエンコードをされたビデオ・ストリームに関係するので、そのような切り換えは、ユーザーのアングル変更要求に対する遅延した応答を引き起こす。ビデオ・アングル変更要求に対する高速の応答時間のために、元のビデオ解像度を下げることが提案される。ビデオ・フレーム内の利用可能なピクセルは、それぞれが異なるビュー・アングルを表す二つ以上のビデオ信号を隣り合わせて記憶するために使われるが、いずれにせよ全映像領域のビデオ信号がデコードされる。選択されたビュー・アングルのビデオ信号は全画面呈示のためにスケールを調整される。
2008533890.tif 000002
【特許請求の範囲】
【請求項１】
一つまたは複数のビデオ信号の映像をエンコードする方法であって：
・全映像領域当たり二つ以上のビデオ信号がエンコードされるべきであれば、エンコードすべき全映像領域を対応する数の部分領域に分割し、該部分領域のそれぞれに前記ビデオ信号のうちの異なる一つを割り当てる段階と；
・前記一つまたは複数のビデオ信号を単一のビデオ信号としてエンコードする段階とを含んでおり、結果として得られるコードは、共通してエンコードされたビデオ信号が一つまたは複数のビデオ信号を含んでいることを示し、該共通してエンコードされたビデオ信号にいくつのビデオ信号が含まれているかを示す諸データ項目を含むことを特徴とする、方法。
【請求項２】
一つまたは複数のビデオ信号の映像をエンコードする装置であって：
・全映像領域当たり二つ以上のビデオ信号がエンコードされるべきであれば、エンコードすべき全映像領域を対応する数の部分領域に分割し、該部分領域のそれぞれに前記ビデオ信号のうちの異なる一つを割り当てる手段と；
・前記一つまたは複数のビデオ信号を単一のビデオ信号としてエンコードするよう適応された手段とを含んでおり、結果として得られるコードは、共通してエンコードされたビデオ信号が一つまたは複数のビデオ信号を含んでいることを示し、該共通してエンコードされたビデオ信号にいくつのビデオ信号が含まれているかを示す諸データ項目を含む、装置。
【請求項３】
一つまたは複数のビデオ信号を表すエンコードされたビデオ信号をデコードする方法であって：
・全映像領域当たり二つ以上のビデオ信号がエンコードされたのであれば、エンコードに先立って、全映像領域が対応する数の部分領域に分割され、該部分領域のそれぞれに前記ビデオ信号のうちの異なる一つが割り当てられ、前記一つまたは複数のビデオ信号が単一のビデオ信号としてエンコードされており、前記エンコードされたビデオ信号のコードは、共通してエンコードされたビデオ信号が一つまたは複数のビデオ信号を含んでいることを示し、該共通してエンコードされたビデオ信号にいくつのビデオ信号が含まれているかを示す諸データ項目を含んでおり、当該方法は、前記エンコードされたビデオ信号の映像をデコードする段階と；
・前記部分領域の一つに関係する前記一つまたは複数のビデオ信号のうちの一つを選択する段階と；
・前記選択されたデコードされたビデオ信号を出力する段階とを含んでいることを特徴とする、方法。
【請求項４】
一つまたは複数のビデオ信号を表すエンコードされたビデオ信号をデコードする装置であって：
・全映像領域当たり二つ以上のビデオ信号がエンコードされたのであれば、エンコードに先立って、全映像領域が対応する数の部分領域に分割され、該部分領域のそれぞれに前記ビデオ信号のうちの異なる一つが割り当てられ、前記一つまたは複数のビデオ信号が単一のビデオ信号としてエンコードされており、前記エンコードされたビデオ信号のコードは、共通してエンコードされたビデオ信号が一つまたは複数のビデオ信号を含んでいることを示し、該共通してエンコードされたビデオ信号にいくつのビデオ信号が含まれているかを示す諸データ項目を含んでおり、当該装置は、前記エンコードされたビデオ信号の映像をデコードするよう適応された手段と；
・前記部分領域の一つに関係する前記一つまたは複数のビデオ信号のうちの一つを選択するよう適応された手段とを含んでおり、該選択する手段が該選択されたデコードされたビデオ信号を出力する、装置。
【請求項５】
前記全映像領域中の前記部分領域の境界の位置がピクセル・ブロックまたはマクロブロックの境界と一致する、請求項１もしくは３記載の方法または請求項２もしくは４記載の方法。
【請求項６】
寄与しているビデオ信号のいずれのピクセル・ブロックまたはマクロブロックについての動き推定も、対応する部分領域の境界内の探索範囲に制約される、請求項１、３および５のうちいずれか一項記載の方法または請求項２、４および５のうちいずれか一項記載の装置。
【請求項７】
前記共通してエンコードされたビデオ信号に含められる前記データ項目または他のデータ項目が、前記全映像領域における前記部分領域の位置についての情報に関係する、請求項１、３、５および６のうちいずれか一項記載の方法または請求項２、４、５および６のうちいずれか一項記載の装置。
【請求項８】
前記一つまたは複数のビデオ信号が、主たるビデオ信号および該主たるビデオ信号のマルチアングル・ビューを表す、請求項１、３、５、６および７のうちいずれか一項記載の方法または請求項２、４、５、６および７のうちいずれか一項記載の装置。
【請求項９】
前記データ項目が、前記部分領域内の前記ビデオ信号のうちどれがデフォルトとして選択されるかについての情報を含む、請求項１、３、５、６、７および８のうちいずれか一項記載の方法または請求項２、４、５、６、７および８のうちいずれか一項記載の装置。
【請求項１０】
前記ビデオ信号のうちの一つの選択に際し、選択されたビデオ信号が自動的に前記全映像領域に対応するフルサイズにまで補間または拡大される、請求項３、５、６、７、８および９のうちいずれか一項記載の方法または請求項４、５、６、７、８および９のうちいずれか一項記載の装置。
【請求項１１】
前記ビデオ信号のうちの一つが対応するユーザー入力データによって選択される、請求項３、５、６、７、８、９および１０のうちいずれか一項記載の方法または請求項４、５、６、７、８、９および１０のうちいずれか一項記載の装置。
【請求項１２】
前記ビデオ信号のうちの一つの選択の前に、すべてのビデオ信号がユーザーのために表示または呈示される、請求項１０記載の方法または装置。
【発明の詳細な説明】
【技術分野】
【０００１】
本発明は、一つまたは複数のビデオ信号の映像を単一のエンコードされたビデオ信号としてエンコードする方法および装置ならびに一つまたは複数のビデオ信号を表すエンコードされたビデオ信号をデコードする方法および装置に関する。
【背景技術】
【０００２】
記録されたビデオ・シーケンスを異なるビュー・アングルで見る、すなわち異なるカメラ信号源の映像を見ることを許容する記憶媒体は、たとえばDVD光ディスクがある。通常、DVDマルチアングル・ビデオは、アングルが変更されるたびにエンコードされたビデオ・ストリームの切り換えを必要とする。
【０００３】
JP-A-11-55589は、各部分ビデオ信号について別個のビデオ・デコーダを使って、二つのマルチアングル映像の２画面ディスプレイ上での呈示を示している。
【発明の開示】
【発明が解決しようとする課題】
【０００４】
しかしながら、エンコードされたビデオ・シーケンスのデコードを開始するにはいくらかの時間がかかり、異なるアングルのビューはそれぞれ対応する異なるエンコードをされたビデオ・ストリームに関係するので、そのような切り換えは必然的に、ユーザーのアングル変更要求に対する遅延した応答を引き起こす。たとえば、従来式のDVD記録においてユーザーがサッカーの試合において、ゴールになりそうな状況を見て、ゴール・カメラに切り換えたいとき、アングルが変わって新たなビデオ・シーケンスのデコードおよび呈示が始まる時点までには、そのゴールはすでに得点されてしまっていることがありうる。本発明によって解決されるべき問題は、あらかじめ記録された記憶媒体上のエンコードされたビデオの異なるビュー・アングルの間の高速の切り換えを容易にすることである。この問題は、請求項１および３に開示される方法によって解決される。本方法を利用する装置は請求項２および４において開示される。
【課題を解決するための手段】
【０００５】
本発明によれば、ビデオ・アングル変更要求に対する高速の応答時間のために、元のビデオ解像度が下げられる。ビデオ・フレームまたはフィールド内の利用可能なピクセルは、それぞれが異なるビュー・アングルを表す二つ以上のビデオ信号を隣り合わせて記憶するために使われるが、全映像領域のビデオ信号はいずれにせよデコードされる。たとえば、水平方向1920、垂直方向1080の輝度ピクセルを有する映像領域は、それぞれ960×1080ピクセルをもつ二つの隣接する領域および信号に分割されるか、それぞれ960×540ピクセルをもつ四つの領域および信号に分割されるかする。
【０００６】
結果として得られるエンコードされたビデオ・ストリームのための副情報が、ストリームが実際には二つ以上のビデオ信号を伝達しているかどうかと、デフォルトで表示するのがどのビデオ信号かを同定する。通常、全画面解像度まで拡大したあとは、同定された異なるビュー・アングルのビデオ信号のうちの一つだけが表示される。
【０００７】
異なるビュー・アングルのビデオ信号がない場合には、主たるビデオ信号が全画面ピクセルを占有する。当該ビデオ・シーケンスについて一つまたは複数の異なるビュー・アングルのビデオ信号が記憶媒体上に記録されている、あるいは送信機から放送される時点以降は、好ましくは自動的に、主たるビデオ信号部分がプレーヤーまたは受信機によって全画面サイズにまで補間または拡大される。当該ビデオ・シーケンスについて同時の異なるビュー・アングルのビデオ信号の数が変わる場合、補間または拡大の度合いがそれに応じて、好ましくは自動的に適応される。並行する異なるビュー・アングルのビデオ信号がなくなる場合は、主たるビデオ信号は再び全画面ピクセルを占有し、よって完全な解像度を与える。マルチアングルのDVDタイトルでのビュー・アングル間の切り換えに伴う通常の遅延は完全に回避される。というのも、別のアングルの表示は単に、すでにデコードされたビデオ信号の別の領域を表示するだけでいいからである。
【０００８】
本発明の解決策は、受け容れられるビデオ解像度を維持するためには、ビュー・アングル数個に限られる。しかしながら、関係するビデオ解像度よりも異なるビューの間の高速切り換えのほうが重要であるビデオ・コンテンツの種類は、文化イベントやスポーツの記録のように、存在する。
【０００９】
原理的には、本発明のエンコード方法は、一つまたは複数のビデオ信号の映像をエンコードするために好適であり：
・全映像領域当たり二つ以上のビデオ信号がエンコードされるべきであれば、エンコードすべき全映像領域を対応する数の部分領域に分割し、該部分領域のそれぞれに前記ビデオ信号のうちの異なる一つを割り当てる段階と；
・前記一つまたは複数のビデオ信号を単一のビデオ信号としてエンコードする段階とを含んでおり、結果として得られるコードは、共通してエンコードされたビデオ信号が一つまたは複数のビデオ信号を含んでいることを示し、該共通してエンコードされたビデオ信号にいくつのビデオ信号が含まれているかを示す諸データ項目を含む。
【００１０】
原理的には、本発明のエンコード装置は、一つまたは複数のビデオ信号の映像をエンコードするために好適であり：
・全映像領域当たり二つ以上のビデオ信号がエンコードされるべきであれば、エンコードすべき全映像領域を対応する数の部分領域に分割し、該部分領域のそれぞれに前記ビデオ信号のうちの異なる一つを割り当てる手段と；
・前記一つまたは複数のビデオ信号を単一のビデオ信号としてエンコードする手段とを含んでおり、結果として得られるコードは、共通してエンコードされたビデオ信号が一つまたは複数のビデオ信号を含んでいることを示し、該共通してエンコードされたビデオ信号にいくつのビデオ信号が含まれているかを示す諸データ項目を含む。
【００１１】
原理的には、本発明のデコード方法は、一つまたは複数のビデオ信号を表すエンコードされたビデオ信号をデコードするために好適であり：
・全映像領域当たり二つ以上のビデオ信号がエンコードされたのであれば、エンコードに先立って、全映像領域が対応する数の部分領域に分割され、該部分領域のそれぞれに前記ビデオ信号のうちの異なる一つが割り当てられ、前記一つまたは複数のビデオ信号が単一のビデオ信号としてエンコードされており、前記エンコードされたビデオ信号のコードは、共通してエンコードされたビデオ信号が一つまたは複数のビデオ信号を含んでいることを示し、該共通してエンコードされたビデオ信号にいくつのビデオ信号が含まれているかを示す諸データ項目を含んでおり、当該方法は、前記エンコードされたビデオ信号の映像をデコードする段階と；
・前記部分領域の一つに関係する前記一つまたは複数のビデオ信号のうちの一つを選択する段階と；
・前記選択されたデコードされたビデオ信号を出力する段階とを含んでいる。
【００１２】
原理的には、本発明のデコード装置は、一つまたは複数のビデオ信号を表すエンコードされたビデオ信号をデコードするために好適であり：
・全映像領域当たり二つ以上のビデオ信号がエンコードされたのであれば、エンコードに先立って、全映像領域が対応する数の部分領域に分割され、該部分領域のそれぞれに前記ビデオ信号のうちの異なる一つが割り当てられ、前記一つまたは複数のビデオ信号が単一のビデオ信号としてエンコードされており、前記エンコードされたビデオ信号のコードは、共通してエンコードされたビデオ信号が一つまたは複数のビデオ信号を含んでいることを示し、該共通してエンコードされたビデオ信号にいくつのビデオ信号が含まれているかを示す諸データ項目を含んでおり、当該装置は、前記エンコードされたビデオ信号の映像をデコードするために適応された手段と；
・前記部分領域の一つに関係する前記一つまたは複数のビデオ信号のうちの一つを選択するために適応された手段とを含んでおり、該選択する手段が該選択されたデコードされたビデオ信号を出力する。
【００１３】
本発明の追加的な実施形態はそれぞれの従属請求項において開示される。
【００１４】
本発明の例示的な実施形態が、付属の図面を参照しつつ記述される。
【発明を実施するための最良の形態】
【００１５】
図１は、水平方向1920、垂直方向1080の輝度ピクセルを表す映像領域が二つ、三つまたは四つの隣接領域に分割されたところを示している。輝度ピクセルの値は、対応する色度ピクセルの値が伴う。各領域は、対応するビュー・アングルのビデオ信号のためのピクセルを表す。図１のＡでは、元の映像領域は、それぞれ960×1080ピクセルをもつ二つの領域に分割され、図１のＢでは、それぞれ640×1080ピクセルをもつ三つの領域に分割され、図１のＣでは、それぞれ960×540ピクセルをもつ四つの領域に分割されている。その他の領域の形および大きさも可能であり、対応する副情報を通じて示すことができる、すなわち、映像面または全映像領域内でのこれらの部分領域（sub-area）それぞれの位置を示すことができる。
【００１６】
図１のＡおよびＣに基づく実施形態では、垂直方向の補間は必要ない。図１のＡに基づく実施形態では、水平方向の補間により960ピクセルから1920ピクセルに引き延ばされる。図１のＣに基づく実施形態では、水平方向の補間により640ピクセルから1920ピクセルに引き延ばされる。図１のＢに基づく実施形態では、水平方向に960ピクセルから1920ピクセルに引き延ばす補間にほかに、垂直方向に540ピクセルから1080ピクセルに引き延ばす補間がある。諸領域に対応する信号は、（スタジオにおいて）単一のビデオ・データ・ストリームにエンコードされ、ディスク・プレーヤーにおいて単一のビデオ・デコーダを使って単一のビデオ・データ・ストリームとしてデコードされる。このデコードに際して、デコードされたビデオ信号の対応する部分が補間され、垂直方向および／または水平方向の解像度は低いがフルサイズのビデオ信号として、出力または呈示または表示される。
【００１７】
利用可能な映像領域のこのような分割は、もともと高めの解像度を有しているHDTV解像度の映像について特に有利である。より小さな領域からの補間でも、標準的なテレビ解像度またさらにはそれ以上もに相当する解像度が得られるのである。
【００１８】
表示すべき（部分的）信号の選択は、ユーザーによる完全な制御下にあることができ、あるいは記憶媒体または光ディスクに存在する副情報を用いてプログラム的に行われてもよい。通常、同定された異なるビュー・アングルのビデオ信号のうち一つだけが、全画面解像度に拡大されたのちに表示される。しかしながら、含まれているビデオ信号全部の同時並行表示または出力を、選択段階の間に利用してもよい。
【００１９】
個々のビデオ信号領域の境界の位置を、共同ビデオ信号をブロック指向のコーデックによる圧縮にかけるときに確立されるピクセル・ブロックまたはマクロブロックの境界と一致するよう制約することが有利である。というのも、一ブロック内に異なる統計をもつ二つのビデオ信号が混在することは圧縮効率を下げることになるからである。ピクセル・ブロックの大きさは、たとえば8×8または4×4ピクセルなどであり、マクロブロックの大きさは16×16ピクセルなどである。
【００２０】
さらに、寄与しているビデオ信号のいずれのピクセル・ブロックまたはマクロブロックについての動き推定も、このビデオ信号の境界（すなわち領域）内の探索範囲に制約することが有利である。これは、異なるビデオ信号からの予測に起因する乱れを回避するためである。
【００２１】
図２では、ピックアップおよび誤り訂正段を含むディスク・ドライブPECが、ディスクDからエンコードされたビデオおよびオーディオ信号を読んでいる。出力信号は、トラック・バッファおよびデマルチプレクサ段TBMを通って、それぞれビデオ・デコーダVDECおよびオーディオ・デコーダADECにはいる。ビデオ・デコーダとオーディオ・デコーダはそれぞれデコードすべき対応するデータ・パケットを受け取る。オーディオ・デコーダは一つまたは複数のデコードされたオーディオ出力信号AOを与える。コントローラCTRLはPEC、TBM、VDECおよびADECを制御できる。ビデオ・デコーダVDECはMPEG-1、MPEG-2、MPEG-4またはMPEG-4AVCビデオ・デコーダであることができ、オーディオ・デコーダADECはAC-3、MPEGまたはDTSオーディオ・デコーダであることができる。ユーザー・インターフェースUIは、ビュー・アングル選択データVASをコントローラCTRLに送る。デフォルトのビュー・アングル選択データ項目DVASがTBMからコントローラCTRLに供給されることができる。DVASは、主たる映像が拡大されたフォーマットまたは大きさで呈示されるべきか拡大なしで呈示されるべきかについての情報を含むことができる。
【００２２】
ビデオ・デコーダVDECは、デコードされた、全映像領域またはフルサイズの映像領域に対応する集合ビデオ信号を選択および補間段SELINTに渡し、そこで、デコードされたビデオ信号のうち、所望されたビュー・アングルまたは主たる映像信号に対応する部分が、全デコードされたビデオ信号から取り出され、適宜水平方向および／または垂直方向に補間または拡大されてフルサイズのビデオ出力信号VOにされる。
【００２３】
選択されたビュー・アングル信号または並行する主たるビデオ信号が補間や拡大でフルサイズにされず、より小さなサイズ・フォーマットまたはそのもともとの領域サイズのフォーマットにされることも可能である。そのような場合、それにより、呈示は好ましくは全映像領域の真ん中を中心とすることが好ましい。
【００２４】
図３のエンコーダは、いくつかのビデオ信号入力をもち、所与の時点で、一つまたは複数のビデオ入力信号VI1、VI2、VI3、たとえば主たるビューのビデオ信号および異なるアングルのビューのビデオ信号を受け取る。これらのビデオ信号はその大きさにおいて適宜適応されており（たとえばフィルタ処理およびサブサンプリングによって）、合成器COMBにおいて組み合わされる。それにより、各ビデオ信号は全映像のうちある特定の部分領域を占有する。これらの部分領域の数および大きさまたは位置は、副情報DVASとしてビデオ・エンコーダVENCおよびマルチプレクサMUXに供給される。ビデオ・エンコーダVENCはこの組み合わされた単一のビデオ信号をエンコードする。マルチプレクサMUXでは、エンコードされたビデオ信号、副情報および一つまたは複数のエンコードされたオーディオ入力信号AIが記録または放送されるべきビットストリームに集合させられる。
【００２５】
本発明は種々の光学式またはハードディスク記憶媒体システムにおいて、たとえばDVD、HD-DVDおよびBD（ブルーレイ）において使用できる。ディスク・プレーヤーの代わりに、本発明は他の種類の装置、たとえばデジタルセットトップボックスまたはDVBのようなデジタルテレビ受信機において使用することもできる。この場合、ディスク・ドライブおよびトラック・バッファを含むフロントエンドは、デジタル信号のためのチューナーで置き換えられる。
【図面の簡単な説明】
【００２６】
【図１】ビデオ・ウィンドウの論理的な分割を示す図である。
【図２】本発明のディスク・プレーヤーのブロック図である。
【図３】本発明のエンコーダのブロック図である。
【図１】
2008533890.tif 000003
【図２】
2008533890.tif 000004
【図３】
2008533890.tif 000005
【手続補正書】
【提出日】平成19年1月15日(2007.1.15)
【手続補正１】
【補正対象書類名】特許請求の範囲
【補正対象項目名】全文
【補正方法】変更
【補正の内容】
【特許請求の範囲】
【請求項１】
いくつかのビデオ信号の映像をエンコードする方法であって、
「全映像領域」とは前記ビデオ信号の映像のフルサイズの映像領域を表すものとし、該全映像領域はピクセル・ブロックまたはマクロブロックに分かれており：
・全映像領域を対応する数の部分領域に分割し、該部分領域のそれぞれに前記ビデオ信号のうちの異なる一つを割り当て、その際、前記いくつかのビデオ信号のうちのそれぞれはしかるべく大きさが適応され、前記全映像領域の前記部分領域の境界の位置はピクセル・ブロックまたはマクロブロックの境界に一致するような段階と；
・合成された諸部分領域ビデオ信号を単一のビデオ信号としてエンコードして、その諸映像が前記全映像領域を占めるようにする段階とを含んでおり、結果として得られるコードは、共通してエンコードされた単一ビデオ信号がいくつかの部分領域ビデオ信号を含んでいることを示し、該共通してエンコードされた単一ビデオ信号にいくつの部分領域ビデオ信号が含まれているかを示す諸データ項目を含み、前記全映像領域内の前記部分領域の位置についての情報を含むことを特徴とする、方法。
【請求項２】
いくつかのビデオ信号の映像をエンコードする装置であって、
「全映像領域」とは前記ビデオ信号の映像のフルサイズの映像領域を表すものとし、該全映像領域はピクセル・ブロックまたはマクロブロックに分かれており：
・全映像領域を対応する数の部分領域に分割し、該部分領域のそれぞれに前記ビデオ信号のうちの異なる一つを割り当て、その際、前記いくつかのビデオ信号のうちのそれぞれはしかるべく大きさが適応され、前記全映像領域の前記部分領域の境界の位置はピクセル・ブロックまたはマクロブロックの境界に一致させるよう適応された手段と；
・合成された諸部分領域ビデオ信号を単一のビデオ信号としてエンコードして、その諸映像が前記全映像領域を占めるようにするよう適応された手段とを含んでおり、結果として得られるコードは、共通してエンコードされた単一ビデオ信号がいくつかの部分領域ビデオ信号を含んでいることを示し、該共通してエンコードされた単一ビデオ信号にいくつの部分領域ビデオ信号が含まれているかを示す諸データ項目を含み、前記全映像領域内の前記部分領域の位置についての情報を含むことを特徴とする、装置。
【請求項３】
いくつかのビデオ信号の映像を表すエンコードされたビデオ信号をデコードする方法であって、「全映像領域」とは前記ビデオ信号の映像のフルサイズの映像領域を表すものとし、該全映像領域はピクセル・ブロックまたはマクロブロックに分かれており：
全映像領域が対応する数の部分領域に分割され、該部分領域のそれぞれに前記いくつかのビデオ信号のうちの異なる一つが割り当てられ、その際、前記いくつかのビデオ信号のうちのそれぞれはしかるべく大きさが適応され、前記全映像領域の前記部分領域の境界の位置はピクセル・ブロックまたはマクロブロックの境界に一致しており；
合成された諸部分領域ビデオ信号は単一のビデオ信号としてエンコードされ、その諸映像が前記全映像領域を占めるようにされ、結果として得られるコードは、共通してエンコードされた単一ビデオ信号がいくつかの部分領域ビデオ信号を含んでいることを示し、該共通してエンコードされた単一ビデオ信号にいくつの部分領域ビデオ信号が含まれているかを示す諸データ項目を含み、前記全映像領域内の前記部分領域の位置についての情報を含んでおり、
当該方法は：
・前記エンコードされた単一ビデオ信号の映像をデコードする段階と；
・前記デコードされた単一ビデオ信号において前記部分領域ビデオ信号のうちの一つを選択する段階と；
・前記選択された部分領域ビデオ信号を補間または拡大して出力する段階とを含んでいる、方法。
【請求項４】
いくつかのビデオ信号の映像を表すエンコードされたビデオ信号をデコードする装置であって、「全映像領域」とは前記ビデオ信号の映像のフルサイズの映像領域を表すものとし、該全映像領域はピクセル・ブロックまたはマクロブロックに分かれており：
全映像領域が対応する数の部分領域に分割され、該部分領域のそれぞれに前記いくつかのビデオ信号のうちの異なる一つが割り当てられ、その際、前記いくつかのビデオ信号のうちのそれぞれはしかるべく大きさが適応され、前記全映像領域の前記部分領域の境界の位置はピクセル・ブロックまたはマクロブロックの境界に一致しており；
合成された諸部分領域ビデオ信号は単一のビデオ信号としてエンコードされ、その諸映像が前記全映像領域を占めるようにされ、結果として得られるコードは、共通してエンコードされた単一ビデオ信号がいくつかの部分領域ビデオ信号を含んでいることを示し、該共通してエンコードされた単一ビデオ信号にいくつの部分領域ビデオ信号が含まれているかを示す諸データ項目を含み、前記全映像領域内の前記部分領域の位置についての情報を含んでおり、
当該装置は：
・前記エンコードされた単一ビデオ信号の映像をデコードするよう適応された手段と；
・前記デコードされた単一ビデオ信号において前記部分領域ビデオ信号のうちの一つを選択し、該選択された部分領域ビデオ信号を補間または拡大して出力するよう適応された手段とを含んでいる、装置。
【請求項５】
寄与しているビデオ信号のいずれのピクセル・ブロックまたはマクロブロックについての動き推定も、対応する部分領域の境界内の探索範囲に制約される、請求項１もしくは３記載の方法または請求項２もしくは４記載の装置。
【請求項６】
前記エンコードされた単一ビデオ信号が記録済み記憶媒体に記録されている、請求項１、３および５のうちいずれか一項記載の方法または請求項２、４および５のうちいずれか一項記載の装置。
【請求項７】
前記いくつかのビデオ信号が、主たるビデオ信号および該主たるビデオ信号のマルチアングル・ビューを表す、請求項１、３、５および６のうちいずれか一項記載の方法または請求項２、４、５および６のうちいずれか一項記載の装置。
【請求項８】
前記データ項目が、前記部分領域内の前記ビデオ信号のうちどれがデフォルトとして選択されるかについての情報を含む、請求項１、３、５、６および７のうちいずれか一項記載の方法または請求項２、４、５、６および７のうちいずれか一項記載の装置。
【請求項９】
前記ビデオ信号のうちの一つの選択に際し、選択されたビデオ信号が自動的に前記全映像領域に対応するフルサイズにまで補間または拡大される、請求項３、５、６、７および８のうちいずれか一項記載の方法または請求項４、５、６、７および８のうちいずれか一項記載の装置。
【請求項１０】
前記ビデオ信号のうちの一つが対応するユーザー入力データによって選択される、請求項３、５、６、７、８および９のうちいずれか一項記載の方法または請求項４、５、６、７、８および９のうちいずれか一項記載の装置。
【請求項１１】
前記ビデオ信号のうちの一つの選択の前に、すべてのビデオ信号がユーザーのために表示または呈示される、請求項９記載の方法または装置。
【国際調査報告】
2008533890.tif 000006
2008533890.tif 000007